(57)【特許請求の範囲】
【請求項１】
データストリームを取得し、取得したデータストリームを構成する複数のパケットを所定の規則に従って複数のグループに振り分ける間引き手段と、
前記間引き手段以外からのアクセスを実質的に阻止する第１の記憶領域を有する第１の記憶手段と、
第２の記憶領域を有する第２の記憶手段と、を備え、
前記間引き手段は、一部の前記グループに属するパケットを前記第１の記憶領域に格納し、取得した前記データストリームを、前記一部のグループに振り分けられたパケットがダミー用パケットへと置換された置換済みデータストリームへと変換して前記第２の記憶領域に格納するものであり、
前記ダミー用パケットは、当該ダミー用パケットによって置換された間引き対象パケットを特定する識別情報を含んでいる、
ことを特徴とするデータストリーム記録装置。
【請求項２】
前記間引き手段は、前記一部のグループに属するパケットを互いに結合したものを表す集合データを生成して前記第１の記憶領域に格納するものであり、
前記識別情報は、当該識別情報を含んだダミー用パケットによって置換されたパケットが前記集合データ内で占める論理的位置を表す情報を含んでいる、
ことを特徴とする請求項１に記載のデータストリーム記録装置。
【請求項３】
前記識別情報は、当該識別情報を含んだダミー用パケットによって置換されたパケットが前記第１の記憶領域内で占める論理的位置を表す情報を含んでいる、
ことを特徴とする請求項１に記載のデータストリーム記録装置。
【請求項４】
前記間引き手段が取得するデータストリームを構成するパケット及び前記ダミー用パケットはＴＳ（Transport Stream）パケットからなっており、前記識別情報は、ＴＳパケットのペイロード部に含まれている、
ことを特徴とする請求項１、２又は３に記載のデータストリーム記録装置。
【請求項５】
前記間引き手段は、前記複数のグループに振り分けられたパケットを前記第１及び第２の記憶領域より読み出し、読み出したパケットに基づいて前記データストリームを復元する合成手段を備える、
ことを特徴とする請求項１乃至４のいずれか１項に記載のデータストリーム記録装置。
【請求項６】
前記間引き手段はプロセッサを備え、前記プロセッサは、所定のプログラムを実行することにより、前記第１の記憶領域にアクセスする、
ことを特徴とする請求項１乃至５のいずれか１項に記載のデータストリーム記録装置。
【請求項７】
前記第１の記憶手段及び前記間引き手段は、前記プロセッサが所定のプログラムを実行することによりデータの伝送が可能となるバスを介して互いに接続されている、
ことを特徴とする請求項６に記載のデータストリーム記録装置。
【請求項８】
前記間引き手段は、前記一部のグループ及び／又は他のグループに振り分けられたパケットを暗号化して前記第１及び／又は第２の記憶領域に格納する、
ことを特徴とする請求項１乃至７のいずれか１項に記載のデータストリーム記録装置。
【請求項９】
データストリームを取得し、取得したデータストリームを構成する複数のパケットを所定の規則に従って複数のグループに振り分け、
一部のグループに属するパケットを、所定のアクセス装置以外からのアクセスを実質的に阻止する第１の記憶領域に格納し、
取得した前記データストリームを、前記一部のグループに振り分けられたパケットがダミー用パケットへと置換された置換済みデータストリームへと変換して第２の記憶領域に格納するデータストリーム記録方法であって、
前記ダミー用パケットは、当該ダミー用パケットによって置換された間引き対象パケットを特定する識別情報を含んでいる、
ことを特徴とするデータストリーム記録方法。
【請求項１０】
前記一部のグループに属するパケットは、当該パケットが互いに結合されたものを表す集合データとして前記第１の記憶領域に格納されるものであり、
前記識別情報は、当該識別情報を含んだダミー用パケットによって置換されたパケットが前記集合データ内で占める論理的位置を表す情報を含んでいる、
ことを特徴とする請求項９に記載のデータストリーム記録方法。
【請求項１１】
コンピュータを、
データストリームを取得し、取得したデータストリームを構成する複数のパケットを所定の規則に従って複数のグループに振り分ける間引き手段と、
前記間引き手段以外からのアクセスを実質的に阻止する第１の記憶領域を有する第１の記憶手段と、
第２の記憶領域を有する第２の記憶手段と、して機能させるためのプログラムであって、
前記間引き手段は、一部の前記グループに属するパケットを前記第１の記憶領域に格納し、取得した前記データストリームを、前記一部のグループに振り分けられたパケットがダミー用パケットへと置換された置換済みデータストリームへと変換して前記第２の記憶領域に格納するものであり、
前記ダミー用パケットは、当該ダミー用パケットによって置換された間引き対象パケットを特定する識別情報を含んでいる、
ことを特徴とするプログラム。
【発明の詳細な説明】
【０００１】
【発明の属する技術分野】
この発明は、データストリーム記録装置、データストリーム記録方法及びプログラムに関する。
【０００２】
【従来の技術】
画像や音声などのコンテンツを、コンテンツを表すデータを含むパケットが連続したものからなるデータストリームの形で放送するデジタル放送が利用されている。
【０００３】
デジタル放送されたコンテンツは、デジタル形式のデータとして記憶装置に蓄積することができ、蓄積の際にデータの劣化が非常に起こりにくい。
このため、デジタル放送されたコンテンツにかかる著作権などの権利の保護を図るための技術が用いられている。具体的には、コンテンツを表すデータを暗号化した上で蓄積する手法がある。
【０００４】
【発明が解決しようとする課題】
しかし、暗号化の手法が攻撃に対して十分な強度を持っていないと、暗号化されたデータは復号鍵を知らない者によっても容易に復号化されてしまい、データの十分な保護が図れない。
【０００５】
この発明は、上記実状に鑑みてなされたものであり、データの保護が十分に図られるようにするためのデータストリーム記録装置及びデータストリーム記録方法を提供することを目的とする。
【０００６】
【課題を解決するための手段】
上記目的を達成すべく、この発明の第１の観点にかかるデータストリーム記録装置は、
データストリームを取得し、取得したデータストリームを構成する複数のパケットを所定の規則に従って複数のグループに振り分ける間引き手段と、
前記間引き手段以外からのアクセスを実質的に阻止する第１の記憶領域を有する第１の記憶手段と、
第２の記憶領域を有する第２の記憶手段と、を備え、
前記間引き手段は、一部の前記グループに属するパケットを前記第１の記憶領域に格納し、取得した前記データストリームを、前記一部のグループに振り分けられたパケットがダミー用パケットへと置換された置換済みデータストリームへと変換して前記第２の記憶領域に格納するものであり、
前記ダミー用パケットは、当該ダミー用パケットによって置換された間引き対象パケットを特定する識別情報を含んでいる、
ことを特徴とする。
【０００７】
前記間引き手段は、前記一部のグループに属するパケットを互いに結合したものを表す集合データを生成して前記第１の記憶領域に格納するものであってもよい。
この場合、前記識別情報は、当該識別情報を含んだダミー用パケットによって置換されたパケットが前記集合データ内で占める論理的位置を表す情報を含んでいてもよい。
【０００８】
前記識別情報は、当該識別情報を含んだダミー用パケットによって置換されたパケットが前記第１の記憶領域内で占める論理的位置を表す情報を含んでいてもよい。
【０００９】
前記間引き手段が取得するデータストリームを構成するパケット及び前記ダミー用パケットは、たとえばＴＳ（Transport Stream）パケットからなっており、この場合、前記識別情報は、たとえば、ＴＳパケットのペイロード部に含まれていればよい。
【００１０】
前記間引き手段は、前記複数のグループに振り分けられたパケットを前記第１及び第２の記憶領域より読み出し、読み出したパケットに基づいて前記データストリームを復元する合成手段を備えていてもよい。
【００１１】
前記間引き手段はプロセッサを備えていてもよく、この場合、前記プロセッサは、所定のプログラムを実行することにより、前記第１の記憶領域にアクセスするものであってもよい。
【００１２】
前記第１の記憶手段及び前記間引き手段は、前記プロセッサが所定のプログラムを実行することによりデータの伝送が可能となるバスを介して互いに接続されていてもよい。
【００１３】
前記間引き手段は、前記一部のグループ及び／又は他のグループに振り分けられたパケットを暗号化して前記第１及び／又は第２の記憶領域に格納するものであってもよい。
【００１４】
また、この発明の第２の観点にかかるデータストリーム記録方法は、
データストリームを取得し、取得したデータストリームを構成する複数のパケットを所定の規則に従って複数のグループに振り分け、
一部のグループに属するパケットを、所定のアクセス装置以外からのアクセスを実質的に阻止する第１の記憶領域に格納し、
取得した前記データストリームを、前記一部のグループに振り分けられたパケットがダミー用パケットへと置換された置換済みデータストリームへと変換して第２の記憶領域に格納するデータストリーム記録方法であって、
前記ダミー用パケットは、当該ダミー用パケットによって置換された間引き対象パケットを特定する識別情報を含んでいる、
ことを特徴とする。
【００１５】
前記一部のグループに属するパケットは、当該パケットが互いに結合されたものを表す集合データとして前記第１の記憶領域に格納されるものであってもよい。
この場合、前記識別情報は、当該識別情報を含んだダミー用パケットによって置換されたパケットが前記集合データ内で占める論理的位置を表す情報を含んでいてもよい。
【００１６】
また、この発明の第３の観点にかかるプログラムは、
コンピュータを、
データストリームを取得し、取得したデータストリームを構成する複数のパケットを所定の規則に従って複数のグループに振り分ける間引き手段と、
前記間引き手段以外からのアクセスを実質的に阻止する第１の記憶領域を有する第１の記憶手段と、
第２の記憶領域を有する第２の記憶手段と、して機能させるためのプログラムであって、
前記間引き手段は、一部の前記グループに属するパケットを前記第１の記憶領域に格納し、取得した前記データストリームを、前記一部のグループに振り分けられたパケットがダミー用パケットへと置換された置換済みデータストリームへと変換して前記第２の記憶領域に格納するものであり、
前記ダミー用パケットは、当該ダミー用パケットによって置換された間引き対象パケットを特定する識別情報を含んでいる、
ことを特徴とする。
【００１７】
【発明の実施の形態】
以下、この発明の実施の形態を、図面を参照して説明する。
図１は、この発明の実施の形態に係るデジタル放送レコーダの構成を示す図である。図示するように、このデジタル放送レコーダは、マザーボード１と、マザーボード用ストレージ２と、受信ユニット３とより構成されている。マザーボード用ストレージ２はマザーボード１に接続されており、受信ユニット３は、接続バスＢを介してマザーボード１に接続されている。
【００１８】
マザーボード１は、たとえば、ＣＰＵ（Central Processing Unit）等からなるプロセッサと、ＲＡＭ（Random Access Memory）等からなるメモリと、バスコントローラと、を備える。なお、接続バスＢは、ＰＣＩ（Peripheral Component
Interface）バスからなる。
マザーボード１のメモリは、マザーボード１のプロセッサのワークエリアとなる記憶領域を有する。マザーボード１のバスコントローラは、マザーボード１のプロセッサとマザーボード１の外部の装置との間での接続バスＢを介したデータ交換を制御するための制御回路からなる。
【００１９】
マザーボード１は、マザーボード用ストレージ２に記憶されている放送記録再生プログラムを読み出し、この放送記録再生プログラムに従って後述する処理を行う。
放送記録再生プログラムが制御する処理は、機能的には複数の処理ブロックを含んでいる。具体的には、図４や図６を参照して後述するデマルチプレクサ１Ａ、ストリーム間引きブロック１Ｂ、ストリーム合成ブロック１Ｃ、ストレージ記録ブロック１Ｄ、ＭＰＥＧ（Moving Picture Expert Group）デコードブロック１Ｅ及びストレージ読み出しブロック１Ｆ、の各処理ブロックを含んでいる。
【００２０】
マザーボード用ストレージ２は、ハードディスク装置等より構成されていて、上述の放送記録再生プログラムを予め記憶している。そして、マザーボード１からのアクセスに従い、マザーボード１が供給するデータを記憶したり、自己が記憶しているデータを読み出してマザーボード１に供給したりする。
【００２１】
受信ユニット３は、デジタル放送受信部３１と、ＰＣＩバスブリッジ３２と、コンテンツ保存用内部メモリ３３と、ＩＤＥ（Intelligent Drive Electronics）バスブリッジ３４とを備える。
【００２２】
デジタル放送受信部３１は、復調回路より構成されており、内部バスを介してＰＣＩバスブリッジ３２に接続されている。デジタル放送受信部３１は、外部よりデジタル放送された、データストリームを表す変調波を入力して復調することにより、データストリームを構成するＴＳ（Transport Stream）パケットを復元する。そして、復元されたＴＳパケットを、ＰＣＩバスブリッジ３２及び接続バスＢを介してマザーボード１に供給する。
デジタル放送受信部３１が受信する変調波が表すデータストリームは、画像や音声からなるコンテンツを表しており、図２に示すように、連続した複数のＴＳパケットより構成されている。
【００２３】
ＴＳパケットはコンテンツをなす画像あるいは音声を表すパケットであり、図２に示すデータ構造を有している。すなわち、ＴＳパケットは、ＴＳパケットヘッダと、ＴＳパケットヘッダに後続するペイロード部（アダプテーション／ペイロード部）とより構成される。
【００２４】
ペイロード部は、コンテンツを表すデータを含む部分である。図３に示すように、各ペイロード部は、同一のフレームの画像（又は同一の音声）を構成するデータを含むもの同士を、これらのペイロード部が含まれているＴＳパケットが並んでいた順で互いに連結することによりＰＥＳ（Packetized Elementary Stream）パケットを形成できるようになっている。
【００２５】
データストリームがＭＰＥＧ２形式の画像データ（又はＭＰＥＧ２形式の画像データと実質的に同一のデータ構造を有する画像データ）を表す場合、ＰＥＳパケットは、動画を構成する画像を表すデータであるＩピクチャ、Ｂピクチャ又はＰピクチャの３種のうち１種以上を含んでいる。このうちＢピクチャ及びＰピクチャは、Ｉピクチャとの差分を表すものである。
【００２６】
そして、図３に示すように、ＰＥＳパケットには、ＰＥＳパケットを識別する情報を含むＰＥＳヘッダと、Ｉピクチャ、Ｂピクチャ又はＰピクチャのいずれかを含むピクチャ層とが含まれている。
【００２７】
Ｉピクチャを含むＰＥＳパケットには、所定の値を有するシーケンスヘッダコードが含まれており、また、Ｉピクチャを含むＰＥＳパケットには、ＰＥＳヘッダ及びピクチャ層に加えて、ビデオシーケンス層と、ＧＯＰ（Group Of Picture）層とが含まれている。
【００２８】
ＴＳパケットヘッダは、図２に示すように、先頭より順に、同期バイト、ＴＳエラーデータ、ペイロードユニットスタートインジケータ、トランスポート優先度データ、ＰＩＤ（Program IDentifier）、トランスポートスクランブル制御データ、アダプテーションフィールド制御データ及び連続性指標を含む。
【００２９】
このうち、ペイロードユニットスタートインジケータは、当該ペイロードユニットスタートインジケータ自身が含まれているＴＳパケットのペイロード部が、ＰＥＳパケットの先頭のデータを含むか否かを示す。具体的には、たとえば、ペイロードユニットスタートインジケータの値が「１」である場合、当該ペイロードユニットスタートインジケータ自身が含まれているＴＳパケットのペイロード部がＰＥＳパケットの先頭のデータを含むことを示し、「０」である場合は、当該ペイロード部がＰＥＳパケットの先頭のデータを含まないことを示す。
【００３０】
従って、１個のＰＥＳパケットは、たとえば、データストリーム中、値が「１」であるペイロードユニットスタートインジケータを含むＴＳパケット以降、値が「１」のペイロードユニットスタートインジケータを含む次のＴＳパケットの直前のＴＳパケットまでの連続する各ＴＳパケットのペイロード部同士を連結することにより生成される。
【００３１】
また、ＰＩＤは、当該ＰＩＤ自身が含まれているＴＳパケットのペイロード部がどのコンテンツを表すか（たとえば、どの画像あるいは音声を表すか）を識別するデータである。
【００３２】
ＰＣＩバスブリッジ３２は、バスコントローラ等より構成されており、接続バスＢを介してマザーボード１に接続されており、また、内部バスを介してＩＤＥバスブリッジ３４及びデジタル放送受信部３１に接続されている。
ＰＣＩバスブリッジ３２は、マザーボード１が放送記録再生プログラムの制御に従って行う、コンテンツ保存用内部メモリ３３へのアクセスを媒介する。また、デジタル放送受信部３１からコンテンツ保存用内部メモリ３３へのデータの供給を媒介する。
【００３３】
コンテンツ保存用内部メモリ３３は、コンパクトＦｌａｓｈメモリ等の不揮発性メモリと、ＩＤＥバスを介したデータの伝送を行うためのインターフェース回路とより構成されている。
【００３４】
ＩＤＥバスブリッジ３４は、バスコントローラ等より構成されており、内部バスを介してＰＣＩバスブリッジ３２に接続され、一方でＩＤＥバスを介してコンテンツ保存用内部メモリ３３に接続されている。ＩＤＥバスブリッジ３４は、マザーボード１が放送記録再生プログラムの制御に従って行う、コンテンツ保存用内部メモリ３３へのアクセスを媒介する。
なお、ＰＣＩバスブリッジ３２及びＩＤＥバスブリッジ３４は、マザーボード１が放送記録再生プログラムの制御に従わずにコンテンツ保存用内部メモリ３３へとアクセスしても、このアクセスを実質的に阻止する。
【００３５】
（動作）
次に、このデジタル放送レコーダの動作を説明する。
図４は、コンテンツを記録する処理の流れを示す図である。
図６は、記録したコンテンツを再生する処理の流れを示す図である。
【００３６】
（コンテンツの記録）
受信ユニット３のデジタル放送受信部３１に、データストリームを表す変調波が供給されると、デジタル放送受信部３１は、この変調波を復調することによりデータストリームを復元して、復元されたデータストリームを、ＰＣＩバスブリッジ及び接続バスＢを介し、マザーボード１に供給する。
【００３７】
一方、マザーボード１は、たとえば外部から操作者の操作に従って供給される録画の指示に応答して、放送記録再生プログラムをマザーボード用ストレージ２より読み出して実行する。
【００３８】
放送記録再生プログラムを実行するマザーボード１は、データストリームを供給されると（すなわち、ＴＳパケットを順次供給されると）、デマルチプレクサ１Ａの制御に従って、供給されたＴＳパケットに含まれるＰＩＤを特定し、特定したＰＩＤが、蓄積する対象のコンテンツを示すか否かを判別する。蓄積する対象のコンテンツは、たとえば、外部から操作者の操作に従って供給されるデータにより指定されればよい。
【００３９】
そして、マザーボード１は、ＰＩＤが蓄積する対象のコンテンツを示すものでないと判別するとこのＰＩＤを含むＴＳパケットを破棄し、示すと判別すると、このＰＩＤを含むＴＳパケットを、図４に示すように、ストリーム合成ブロック１Ｃ及びストリーム間引きブロック１Ｂの各処理ブロックに引き渡す。
【００４０】
ＴＳパケットがデマルチプレクサ１Ａからストリーム合成ブロック１Ｃに引き渡された場合（つまり、このデジタル放送レコーダがデジタル放送を受信した場合）、マザーボード１はストリーム合成ブロック１Ｃの制御に従い、このＴＳパケットに特に処理を加えないまま、このＴＳパケットをＭＰＥＧデコードブロック１Ｅに引き渡す。
【００４１】
ＭＰＥＧデコードブロック１ＥにＴＳパケットが引き渡されると、マザーボード１は、ＭＰＥＧデコードブロック１Ｅの制御に従い、このＴＳパケットが表す画像や音声をデコードし、図４に示すように、たとえばコンポジット信号などのビデオ信号や音声信号などからなるコンテンツデータとして出力する。
【００４２】
一方、マザーボード１は、デマルチプレクサ１Ａからストリーム間引きブロック１Ｂに順次引き渡されるＴＳパケットを、ストリーム間引きブロック１Ｂの制御に従い、一定の規則に合致するように間引く。すなわち、この規則に従ってＴＳパケットを２つのグループに振り分け、一方のグループに属するＴＳパケット（以下、間引き対象パケットと呼ぶ）を、受信ユニット３のコンテンツ保存用内部メモリ３３に書き込み、他方のグループに属するＴＳパケット（以下、非間引き対象パケットと呼ぶ）を、ストレージ記録ブロック１Ｄに引き渡す。なお、規則の具体的な内容は任意である。
【００４３】
マザーボード１は、コンテンツ保存用内部メモリ３３に書き込む間引き対象パケットを、図５に示すような、間引き対象パケット同士がシリアルに連結されたものから構成されるパケット集合ファイルの形で書き込むものとする。パケット集合ファイル内での各間引き対象パケットの並び順は任意であり、たとえば、元のデータストリーム内での並び順通りに並んでいればよい。
また、各々の間引き対象パケットには、たとえば、パケット集合ファイル内で当該間引き対象パケットが先頭から何番目にあるかを示すパケット番号が割り当てられている。なお、図５は、パケット番号「ｋ−１」、「ｋ」及び「ｋ＋１」（ｋは２以上の任意の整数）を割り当てられた間引き対象パケットを模式的に示すものである。
【００４４】
なお、マザーボード１は、コンテンツ保存用内部メモリ３３へのパケット集合ファイル（すなわち、間引き対象パケットの集合）の書き込みを、ＰＣＩバスブリッジ３２及びＩＤＥバスブリッジ３４を介してコンテンツ保存用内部メモリ３３にアクセスすることにより行う。すなわち、マザーボード１がコンテンツ保存用内部メモリ３３にアクセスし、パケット集合ファイルが受信ユニット３へと供給されると、受信ユニット３のＰＣＩバスブリッジ３２は、このパケット集合ファイルをＩＤＥバスブリッジ３４へと供給し、ＩＤＥバスブリッジ３４はコンテンツ保存用内部メモリ３３にアクセスして、このパケット集合ファイルを、コンテンツ保存用内部メモリ３３の記憶領域に格納する。
【００４５】
一方、ストリーム間引きブロック１Ｂの処理を行うマザーボード１は、ストレージ記録ブロック１Ｄに引き渡す非間引き対象パケットを、図５に示すような置換済みデータストリームの形でストレージ記録ブロック１Ｄに引き渡す。
図示するように、置換済みデータストリームは、受信ユニット３が受信した元のデータストリームのうち間引き対象パケットをダミーのパケットへと置換したものに相当するデータ構造を有するデータストリームからなる。
【００４６】
ダミーのパケットのペイロード部には、図５に示すように、当該ダミーのパケットにより置換された間引き対象パケットを識別する識別データが含まれている。識別データは、たとえば図５に示すように、上述のパケット番号からなっていてもよいし、あるいは、パケット集合ファイル内での当該間引き対象パケットの位置を示すアドレスからなっていてもよい。なお、図５は、パケット番号「ｋ」を割り当てられた間引き対象パケットがダミーのパケットに置換されている置換済みデータストリームを模式的に示すのである。
【００４７】
また、ダミーのパケットのペイロード部の内容は、当該ダミーのパケットにより置換された間引き対象パケットのペイロード部の内容と異なるものとする。ダミーのパケットのペイロード部の内容と、当該ダミーのパケットの位置にあった間引き対象パケットのペイロード部の内容との間には、実質的に相関関係がないことが望ましい。
【００４８】
置換済みデータストリームがストレージ記録ブロック１Ｄへと引き渡されると、マザーボード１は、ストレージ記録ブロック１Ｄの制御に従ってマザーボード用ストレージ２にアクセスし、この置換済みデータストリームを、マザーボード用ストレージ２の記憶領域に格納する。
【００４９】
（記録したコンテンツの再生）
記録されたコンテンツを再生する場合、マザーボード１は、たとえば外部から操作者の操作に従って供給されるコンテンツ再生の指示に応答して、放送記録再生プログラムをマザーボード用ストレージ２より読み出して実行する。
【００５０】
すると、マザーボード１は、再生する対象のコンテンツを表す置換済みデータストリーム（非間引き対象パケットの集合）を、マザーボード用ストレージ２より読み出す。
【００５１】
具体的には、マザーボード１は、たとえば、当該置換済みデータストリームを示す情報（たとえば、ファイル名や、格納されている記憶領域のアドレスなど）を、ストリーム合成ブロック１Ｃからストレージ読み出しブロック１Ｆに引き渡す。そして、ストレージ読み出しブロック１Ｆの制御に従ってマザーボード用ストレージ２にアクセスし、この情報により示される置換済みデータストリームをマザーボード用ストレージ２から読み出し、ストリーム合成ブロック１Ｃに引き渡す。
【００５２】
一方、マザーボード１は、ＰＣＩバスブリッジ３２及びＩＤＥバスブリッジ３４を介してコンテンツ保存用内部メモリ３３にアクセスし、再生する対象のコンテンツを表すパケット集合ファイル（すなわち、間引き対象パケットの集合）を読み出す。読み出されたパケット集合ファイルはＩＤＥバスブリッジ３４に供給され、ＩＤＥバスブリッジ３４はこのパケット集合ファイルをＰＣＩバスブリッジ３２に転送し、ＰＣＩバスブリッジ３２は、このパケット集合ファイルを接続バスＢを介してマザーボード１に供給する。
なお、読み出す対象のパケット集合ファイルは、たとえば、再生する対象のコンテンツを表す置換済みデータストリーム内の任意のダミーのパケットに含まれる識別データの内容に基づいて特定すればよい。
【００５３】
マザーボード１は、図６に示すように、受信ユニット３から読み出したパケット集合ファイルを、ストリーム合成ブロック１Ｃに引き渡す。
【００５４】
次に、マザーボード１は、ストリーム合成ブロック１Ｃの制御に従い、ストリーム合成ブロック１Ｃに引き渡された置換済みデータストリームを元のデータストリームへと復元する。そして、図６に示すように、復元されたデータストリームを、ＭＰＥＧデコードブロック１Ｅに引き渡す。
【００５５】
マザーボード１は、具体的には、ストリーム合成ブロック１Ｃに引き渡された置換済みデータストリームに含まれるダミーのパケットを、パケット集合ファイルに含まれる間引き対象パケットへと置換することにより、元のデータストリームの復元を行う。なお、マザーボード１は、各々のダミーのパケットをどの間引き対象パケットによって置換するかを、当該ダミーのパケットに含まれる識別データに基づいて特定する。
【００５６】
ＭＰＥＧデコードブロック１Ｅに元のデータストリームが引き渡されると、マザーボード１は、ＭＰＥＧデコードブロック１Ｅの制御に従い、このデータストリームが表す画像や音声をデコードし、図６に示すように、コンテンツデータとして出力する。
【００５７】
以上説明した動作を行うこのデジタル放送レコーダは、一定の規則に合致する一部のＴＳパケットをコンテンツ保存用内部メモリ３３に記憶させる。そして、このＩピクチャ先頭パケットは、放送記録再生プログラムの制御に従わずに読み出そうとしてもアクセスを実質的に阻止される。従って、たとえばマザーボード用ストレージ２を切り離し、外部のコンピュータ等を用い、マザーボード用ストレージ２の記憶内容に基づいてコンテンツを再生しようとしても、一部のＴＳパケットに含まれているデータを得ることができないため、コンテンツを正しく再生できない。この結果、コンテンツの保護が図られる。
そして、置換済みデータストリーム内のダミーのパケットをどの間引き対象パケットで置き換えるべきかは、当該ダミーのパケットに含まれる識別データを検証することにより容易に特定できる。このため、元のデータストリーム内での間引き対象パケットの位置を示すテーブルを別途用意することを要せずに、容易にデータストリームを復元できる。
【００５８】
なお、このデジタル放送レコーダの構成は上述のものに限られない。
たとえば、ＴＳパケットのデータ構造は上述の通りでなくてもよく、任意のデータ構造をとっていてよい。また、ダミーのパケットは、識別データを必ずしもペイロード部に含んでいる必要はなく、当該ダミーのパケット内の他の任意の位置に含んでいてもよい。また、ＴＳパケットに含まれる画像データは、必ずしもＭＰＥＧ２形式のデータでなくてもよく、ＭＰＥＧ４あるいはその他任意の形式のデータであってよい。
また、受信ユニット３はコンテンツ保存用内部メモリ３３を複数備えてもよく、データストリームは３個以上のグループに振り分けられてもよい。
【００５９】
また、ダミーのパケットが含む識別データは、当該ダミーのパケットにより置換された間引き対象パケットが、コンテンツ保存用内部メモリ３３の記憶領域内で占める位置を示すアドレスからなっていてもよい。この場合、コンテンツ保存用内部メモリ３３が記憶する間引き対象パケットは、必ずしも上述したパケット集合ファイルの形をとっていなくてもよい。
【００６０】
また、このデジタル放送レコーダは、マザーボード１が生成したコンテンツデータが表す画像の表示を制御するビデオ回路や、この制御に従って画像を表示する液晶パネル等の表示装置を備えていてもよい。また、コンテンツデータが表す音声を再生するための増幅回路やスピーカ等を備えていてもよい。ビデオ回路や増幅回路がマザーボード１に搭載されていてもよい。
【００６１】
また、接続バスＢは必ずしもＰＣＩバスに限られず任意の規格に準拠したバスであってよい。従って、接続バスＢは、たとえばPC Card Standardに準拠するバスからなっていてもよいし、ＩＳＡ（Industry Standard Architecture）バスからなっていてもよい。ただし、受信ユニット３は、接続バスＢがＰＣＩバスでない場合、ＰＣＩバスブリッジ３２に代えて、接続バスＢが準拠する規格に適合したデータ交換を媒介するバスコントローラ等を備えるものとする。
【００６２】
また、コンテンツ保存用内部メモリ３３とＩＤＥバスブリッジ３４とを接続するバスは必ずしもＩＤＥバスに限られず任意の規格に準拠したバスであってよい。従って、このバスは、たとえばメモリ専用バスからなっていてもよい。ただし、受信ユニット３は、このバスがＩＤＥバスでない場合、ＩＤＥバスブリッジ３４に代えて、このバスが準拠する規格に適合したデータ交換を媒介するバスコントローラ等を備えるものとし、また、コンテンツ保存用内部メモリ３３が備えるインターフェース回路も、このバスが準拠する規格に適合したデータ交換を媒介するものとする。
【００６３】
また、マザーボード１は、コンテンツを記録するときは非間引き対象パケットを暗号化してからマザーボード用ストレージ２に記憶させ、記録したコンテンツを再生するときは、暗号化された非間引き対象パケットを読み出して復号化してからデータストリームの復元を行うようにしてもよい。
同様に、コンテンツを記録するときは間引き対象パケットを暗号化してからコンテンツ保存用内部メモリ３３に書き込み、記録したコンテンツを再生するときは、暗号化された間引き対象パケットを読み出して復号化してからデータストリームの復元を行うようにしてもよい。
【００６４】
以上、この発明の実施の形態を説明したが、この発明にかかるデータストリーム装置は、専用のシステムによらず、通常のコンピュータシステムを用いて実現可能である。
例えば、パーソナルコンピュータに上述のマザーボード１、マザーボード用ストレージ２及び受信ユニット３の動作を実行させるためのプログラムを格納した媒体（ＣＤ−ＲＯＭ、ＭＯ、ＦＤ等）から該プログラムをインストールすることにより、上述の処理を実行するデジタル放送レコーダを構成することができる。
【００６５】
また、例えば、通信回線の掲示板（ＢＢＳ）に該プログラムを掲示し、これを通信回線を介して配信してもよく、また、該プログラムを表す信号により搬送波を変調し、得られた変調波を伝送し、この変調波を受信した装置が変調波を復調して該プログラムを復元するようにしてもよい。
そして、該プログラムを起動し、ＯＳの制御下に、他のアプリケーションプログラムと同様に実行することにより、上述の処理を実行することができる。
【００６６】
なお、ＯＳが処理の一部を分担する場合、あるいは、ＯＳが本願発明の１つの構成要素の一部を構成するような場合には、記録媒体には、その部分を除いたプログラムを格納してもよい。この場合も、この発明では、その記録媒体には、コンピュータが実行する各機能又はステップを実行するためのプログラムが格納されているものとする。
【００６７】
【発明の効果】
以上説明したように、この発明によれば、データの保護が十分に図られるようにするためのデータストリーム記録装置及びデータストリーム記録方法が実現される。
【図面の簡単な説明】
【図１】この発明の実施の形態に係るデジタル放送レコーダの構成を示すブロック図である。
【図２】データストリーム及びＴＳパケットのデータ構造を示す図である。
【図３】ＰＥＳパケットのデータ構造を示す図である。
【図４】コンテンツを記録する処理の流れを示す図である。
【図５】パケット集合ファイル、置換済みデータストリーム及びダミーのパケットのデータ構造を示す図である。
【図６】記録したコンテンツを再生する処理の流れを示す図である。
【符号の説明】
１      マザーボード
２      マザーボード用ストレージ
３      受信ユニット
３１      デジタル放送受信部
３２      ＰＣＩバスブリッジ
３３      コンテンツ保存用内部メモリ
３４      ＩＤＥバスブリッジ
Ｂ      接続バス
【図１】
0003881900.tif 000002
【図２】
0003881900.tif 000003
【図３】
0003881900.tif 000004
【図４】
0003881900.tif 000005
【図５】
0003881900.tif 000006
【図６】
0003881900.tif 000007